(57)【要約】【課題】検者の負担を軽減しつつ、検者が検査に関与することにより柔軟な自覚検査が可能な検眼装置を提供する。【解決手段】検眼装置は、光学素子適用手段と、視標呈示手段と、応答入力手段と、判定手段と、制御手段とを含む。光学素子適用手段は、複数の光学素子を選択的に被検眼に適用する。視標呈示手段は、視標を被検眼に呈示する。応答入力手段は、光学素子適用手段により光学素子が適用されている被検眼に対し視標呈示手段により呈示された視標に対する被検者の応答の内容を入力するために用いられる。判定手段は、応答入力手段により入力された応答の内容の正誤を判定する。制御手段は、判定手段による複数の判定結果に基づく応答の内容の正答率に基づいて光学素子適用手段および視標呈示手段の少なくとも一方を制御する。【選択図】図４
2015223196.tif 000002
【特許請求の範囲】
【請求項１】
複数の光学素子を選択的に被検眼に適用する光学素子適用手段と、
視標を被検眼に呈示する視標呈示手段と、
前記光学素子適用手段により光学素子が適用されている被検眼に対し前記視標呈示手段により呈示された視標に対する被検者の応答の内容を入力するための応答入力手段と、
前記応答入力手段により入力された前記応答の内容の正誤を判定する判定手段と、
前記判定手段による複数の判定結果に基づく前記応答の内容の正答率に基づいて前記光学素子適用手段および前記視標呈示手段の少なくとも一方を制御する制御手段と、
を含む検眼装置。
【請求項２】
複数の光学素子を選択的に被検眼に適用する光学素子適用手段と、
視標を被検眼に呈示する視標呈示手段と、
前記光学素子適用手段により光学素子が適用されている被検眼に対し前記視標呈示手段により呈示された視標に対する被検者の応答の内容の正誤を入力するための正誤入力手段と、
前記被検眼に呈示された複数の視標に対する複数の前記応答の内容の正答率に基づいて、前記光学素子適用手段および前記視標呈示手段の少なくとも一方を制御する制御手段と、
を含む検眼装置。
【請求項３】
前記視標は、被検眼の視力値を測定するための視力測定用視標を含み、
前記制御手段は、
前記視力測定用視標に対する前記正答率に基づいて次に適用される視力値を決定する視力値決定手段を含む
ことを特徴とする請求項１または請求項２に記載の検眼装置。
【請求項４】
前記制御手段は、前記視力値決定手段により決定された視力値に対応する視力測定用視標を呈示するように前記視標呈示手段を制御する
ことを特徴とする請求項３に記載の検眼装置。
【請求項５】
前記制御手段は、前記視力値決定手段により決定された視力値に対応する光学素子を適用するように前記光学素子適用手段を制御する
ことを特徴とする請求項３または請求項４に記載の検眼装置。
【請求項６】
複数の光学素子を選択的に被検眼に適用する光学素子適用手段と、
視標を被検眼に呈示する視標呈示手段と、
前記光学素子適用手段により光学素子が適用されている被検眼に対し前記視標呈示手段により呈示された視標に対する被検者の応答の内容を入力するための応答入力手段と、
前記応答入力手段により入力された前記応答の内容の正誤を判定する判定手段と、
前記判定手段による判定結果を表示する判定結果表示部と、前記光学素子適用手段および前記視標呈示手段の少なくとも一方を制御するための指示を入力するための指示入力部とを含むユーザインターフェイスと、
前記判定結果表示部に判定結果が表示されたことを受けて前記指示入力部により入力された指示に基づいて、前記光学素子適用手段および前記視標呈示手段の少なくとも一方を制御する制御手段と、
を含む検眼装置。
【請求項７】
前記被検眼に呈示されている視標を検者に向けて表示する表示手段を含む
ことを特徴とする請求項１〜請求項６のいずれか一項に記載の検眼装置。
【請求項８】
前記応答の内容の正誤を示す正誤情報を記憶する記憶手段を含み、
前記制御手段は、前記記憶手段に記憶された前記正誤情報を出力手段に出力させる
ことを特徴とする請求項１〜請求項７のいずれか一項に記載の検眼装置。
【請求項９】
前記正誤情報は、前記応答の内容およびその正誤を含み、
前記制御手段は、視力値ごとに応答の内容およびその正誤を前記出力手段に出力させる
ことを特徴とする請求項８に記載の検眼装置。
【請求項１０】
前記正誤情報は、前記被検眼に呈示された複数の視標と、当該複数の視標に対する前記複数の応答の内容およびその正誤とを対応付けた情報であり、
前記制御手段は、
前記正誤情報に基づいて、前記応答の内容が正答である視標、前記応答の内容が誤答である視標、または視標の種別ごとの前記応答の内容の正誤を集計する集計手段を含み、
前記集計手段による集計結果を前記出力手段に出力させる
ことを特徴とする請求項８または請求項９に記載の検眼装置。
【発明の詳細な説明】
【技術分野】
【０００１】
本発明は、自覚検査に用いられる検眼装置に関する。
【背景技術】
【０００２】
検眼装置は、光学素子を通して被検眼に視標を呈示することにより視力などの視機能を検査するための装置である。
【０００３】
検眼装置を用いて自覚検査を行う場合、検者は、被検者の応答の内容を記憶しておき、その応答の内容によって次に検査すべき内容を切り替えたり、検査結果を決定したりする。たとえば、視力検査では、同一の視力値に対応する５つの視標を呈示し、正答数が３つ以上のとき、被検眼は少なくとも当該視力値を有すると判定され、当該視力値より１ステップだけ大きい視力値に対応する視標に切り替えられ、検査が継続される。正答数が３つ未満のとき、当該視力値より１ステップだけ小さい視力値が検査結果として採用される。
【先行技術文献】
【特許文献】
【０００４】
【特許文献１】特開２００４−２８３２７１号公報
【発明の概要】
【発明が解決しようとする課題】
【０００５】
従来の検眼装置を用いた自覚検査では、検者が、被検者の一連の応答の内容を記憶しておく必要がある。そのため、被検者の応答に時間がかかった場合、検者が、以前の被検者の応答の内容を忘れてしまい、検査結果の信頼性に影響を与えてしまう可能性がある。この点、特許文献１に記載の検眼装置によれば、自覚検査を自動化することにより検者の負担を軽減することができる。しかしながら、自覚検査においては、検者の経験や技術を生かして柔軟に検査を行いたい場合がある。たとえば、検者の経験などにより検査内容を厳選し、所望の検査を短時間で行いたい場合がある。
【０００６】
本発明は、上記の問題点を解決するためになされたものであり、検者の負担を軽減しつつ、検者が検査に関与することにより柔軟な自覚検査が可能な検眼装置を提供することを目的とする。
【課題を解決するための手段】
【０００７】
請求項１に記載の検眼装置は、複数の光学素子を選択的に被検眼に適用する光学素子適用手段と、視標を被検眼に呈示する視標呈示手段と、前記光学素子適用手段により光学素子が適用されている被検眼に対し前記視標呈示手段により呈示された視標に対する被検者の応答の内容を入力するための応答入力手段と、前記応答入力手段により入力された前記応答の内容の正誤を判定する判定手段と、前記判定手段による複数の判定結果に基づく前記応答の内容の正答率に基づいて前記光学素子適用手段および前記視標呈示手段の少なくとも一方を制御する制御手段と、を含む。
また、請求項２に記載の検眼装置は、複数の光学素子を選択的に被検眼に適用する光学素子適用手段と、視標を被検眼に呈示する視標呈示手段と、前記光学素子適用手段により光学素子が適用されている被検眼に対し前記視標呈示手段により呈示された視標に対する被検者の応答の内容の正誤を入力するための正誤入力手段と、前記被検眼に呈示された複数の視標に対する複数の前記応答の内容の正答率に基づいて、前記光学素子適用手段および前記視標呈示手段の少なくとも一方を制御する制御手段と、を含む。
また、請求項３に記載の発明は、請求項１または請求項２に記載の検眼装置であって、前記視標は、被検眼の視力値を測定するための視力測定用視標を含み、前記制御手段は、前記視力測定用視標に対する前記正答率に基づいて次に適用される視力値を決定する視力値決定手段を含む。
また、請求項４に記載の発明は、請求項３に記載の検眼装置であって、前記制御手段は、前記視力値決定手段により決定された視力値に対応する視力測定用視標を呈示するように前記視標呈示手段を制御する。
また、請求項５に記載の発明は、請求項３または請求項４に記載の検眼装置であって、前記制御手段は、前記視力値決定手段により決定された視力値に対応する光学素子を適用するように前記光学素子適用手段を制御する。
また、請求項６に記載の検眼装置は、複数の光学素子を選択的に被検眼に適用する光学素子適用手段と、視標を被検眼に呈示する視標呈示手段と、前記光学素子適用手段により光学素子が適用されている被検眼に対し前記視標呈示手段により呈示された視標に対する被検者の応答の内容を入力するための応答入力手段と、前記応答入力手段により入力された前記応答の内容の正誤を判定する判定手段と、前記判定手段による判定結果を表示する判定結果表示部と、前記光学素子適用手段および前記視標呈示手段の少なくとも一方を制御するための指示を入力するための指示入力部とを含むユーザインターフェイスと、前記判定結果表示部に判定結果が表示されたことを受けて前記指示入力部により入力された指示に基づいて、前記光学素子適用手段および前記視標呈示手段の少なくとも一方を制御する制御手段と、を含む。
また、請求項７に記載の発明は、請求項１〜請求項６のいずれか一項に記載の検眼装置であって、前記被検眼に呈示されている視標を検者に向けて表示する表示手段を含む。
また、請求項８に記載の発明は、請求項１〜請求項７のいずれか一項に記載の検眼装置であって、前記応答の内容の正誤を示す正誤情報を記憶する記憶手段を含み、前記制御手段は、前記記憶手段に記憶された前記正誤情報を出力手段に出力させる。
また、請求項９に記載の発明は、請求項８に記載の検眼装置であって、前記正誤情報は、前記応答の内容およびその正誤を含み、前記制御手段は、視力値ごとに応答の内容およびその正誤を前記出力手段に出力させる。
また、請求項１０に記載の発明は、請求項８または請求項９に記載の検眼装置であって、前記正誤情報は、前記被検眼に呈示された複数の視標と、当該複数の視標に対する前記複数の応答の内容およびその正誤とを対応付けた情報であり、前記制御手段は、前記正誤情報に基づいて、前記応答の内容が正答である視標、前記応答の内容が誤答である視標、または視標の種別ごとの前記応答の内容の正誤を集計する集計手段を含み、前記集計手段による集計結果を前記出力手段に出力させる。
【発明の効果】
【０００８】
この発明に係る検眼装置によれば、検者の負担を軽減しつつ、検者が検査に関与することにより柔軟な自覚検査が可能になる。
【図面の簡単な説明】
【０００９】
【図１】第１実施形態に係る検眼装置の構成例を示す図。
【図２】第１実施形態に係るコントローラの構成例を示す図。
【図３】第１実施形態に係るタブレット端末の構成例を示す図。
【図４】第１実施形態に係る検眼装置の構成例を示す図。
【図５】第１実施形態に係る検眼装置の構成例を示す図。
【図６】第１実施形態に係る検眼装置の構成例を示す図。
【図７】第１実施形態に係る検眼装置を用いた検査フローの一例を示す図。
【図８】第１実施形態に係るメイン制御装置の動作例を示す図。
【図９】第１実施形態に係る検眼装置の動作例のシーケンス図。
【図１０】第１実施形態に係る出力装置への出力例を示す図。
【図１１】第２実施形態に係る制御部の構成例を示す図。
【図１２】第２実施形態に係るメイン制御装置の動作例を示す図。
【図１３】第２実施形態に係る検眼装置の動作例のシーケンス図。
【図１４】第３実施形態に係るメイン制御装置の動作例を示す図。
【図１５】第３実施形態に係る検眼装置の動作例のシーケンス図。
【発明を実施するための形態】
【００１０】
実施形態に係る検眼装置について、図面を参照しながら詳細に説明する。
【００１１】
〔第１実施形態〕
［システム構成］
図１に、第１実施形態に係る検眼装置の外観構成を概略的に示す。なお、図１では、検眼装置の操作手段として１つのタブレット端末およびコントローラが図示されているが、第１実施形態に係る検眼装置の操作手段は、タブレット端末またはコントローラのいずれか１つであればよい。
【００１２】
検眼装置１（眼科装置）は、光学素子を通して被検者の眼（被検眼）に視標を呈示することにより視力や視機能などを検査するための装置である。検眼装置１は、測定ヘッド（レフラクタ、フォロプタ）１０と、視標呈示装置２０と、メイン制御装置４０と、コントローラ５０と、タブレット端末１００とを有する。検眼装置１は、測定ヘッド１０、視標呈示装置２０、メイン制御装置４０、コントローラ５０、およびタブレット端末１００のすべてを含んで構成されていなくてもよい。
【００１３】
測定ヘッド１０、視標呈示装置２０、メイン制御装置４０、およびコントローラ５０は、電源線および通信線を含むケーブルを介して電気的に接続されている。電源線は、メイン制御装置４０から各部に電源を供給するために用いられる。通信線は、メイン制御装置４０と各部との間の通信を行うために用いられる。タブレット端末１００は、無線の通信路を介して、メイン制御装置４０との通信が可能に構成される。メイン制御装置４０は、１以上のタブレット端末１００との無線の通信の接続が可能に構成される。
【００１４】
図１では、検眼装置１は、検眼用テーブル３を有する。検眼用テーブル３は、測定ヘッド１０の支持やコントローラ５０の載置などのための机である。検眼用テーブル３は、支持部４によって床の上に支持された状態で設置される。なお、図１では、検眼用テーブル３にコントローラ５０およびタブレット端末１００が載置されている。
【００１５】
たとえば、検眼用テーブル３には、支柱５が立設される。支柱５は、横アーム６の一方の端部に設けられた中空状の支持部７に挿入される。支柱５は、垂直方向（矢印方向ｈ）に横アーム６を移動可能に支持するとともに、軸回り方向（矢印方向ｊ、矢印方向ｋ）に横アーム６を回動可能に支持する。横アーム６の他方の端部には、測定ヘッド１０が保持される。この端部には、操作アーム８が、この端部から突出するように設けられている。操作アーム８は、操作者による操作を受け、横アーム６および測定ヘッド１０を支柱５の軸回り方向に回動させることが可能である。なお、横アーム６は、水平方向の軸回りに測定ヘッド１０を回動させる機構を有していてもよい。支持部４の側面には格納部９が設けられ、メイン制御装置４０などが格納される。なお、検眼用テーブル３の構成は、図１に示す構成に限定されるものではない。
【００１６】
この実施形態では、タブレット端末１００やコントローラ５０は、検眼装置１を制御するための操作手段である。測定ヘッド１０は、タブレット端末１００やコントローラ５０に対する操作者による操作を受け、複数の光学素子を被検眼に選択的に適用する。視標呈示装置２０は、タブレット端末１００やコントローラ５０に対する操作者による操作を受け、たとえば、複数の視標を被検眼に選択的に呈示する。メイン制御装置４０は、タブレット端末１００やコントローラ５０に対する操作を受け、測定ヘッド１０および視標呈示装置２０の少なくとも一方を制御する。
【００１７】
メイン制御装置４０は、所定の期間内に略同時に受け付けられたコントローラ５０に対する操作とタブレット端末１００に対する操作とに対して優先制御を行うことなく、測定ヘッド１０または視標呈示装置２０を制御することが可能である。また、メイン制御装置４０は、事前に設定された優先順位に従って、所定の期間内に略同時に受け付けられたコントローラ５０に対する操作とタブレット端末１００に対する操作とに対して優先制御を行ってもよい。この場合、メイン制御装置４０は、優先制御により優先順位が高く設定された操作に基づいて、測定ヘッド１０または視標呈示装置２０を制御する。
【００１８】
（測定ヘッド１０）
測定ヘッド１０は、被検眼に複数の光学素子を選択的に配置可能である。測定ヘッド１０は、左眼用検眼ユニット１０Ｌと右眼用検眼ユニット１０Ｒとを有する。左眼用検眼ユニット１０Ｌおよび右眼用検眼ユニット１０Ｒのそれぞれは、被検眼に選択的に適用する複数の光学素子を内蔵する。左眼用検眼ユニット１０Ｌは、複数の光学素子の中から選択された光学素子を被検者の左眼（左被検眼）に適用する。右眼用検眼ユニット１０Ｒは、複数の光学素子の中から選択された光学素子を被検者の右眼（右被検眼）に適用する。左眼用検眼ユニット１０Ｌおよび右眼用検眼ユニット１０Ｒには、それぞれ検眼窓１１Ｌ、１１Ｒが形成されている。タブレット端末１００やコントローラ５０に対する操作を受け、複数の光学素子が検眼窓１１Ｌ、１１Ｒに選択的に配置される。左被検眼は、視標呈示装置２０により呈示された視標を検眼窓１１Ｌを通じて視認する。右被検眼は、視標呈示装置２０により呈示された視標を検眼窓１１Ｒを通じて視認する。
【００１９】
左眼用検眼ユニット１０Ｌおよび右眼用検眼ユニット１０Ｒは、個別に動作可能に構成される。各検眼ユニットは、複数の光学素子と駆動機構とを有する。
【００２０】
各検眼ユニットが有する複数の光学素子は、被検眼の視機能を検査するための各種レンズからなる集合であり、たとえば、球面レンズ、円柱レンズ、累進レンズ、およびプリズムレンズのうち少なくとも１つを含む。複数の光学素子は、検眼パラメータの種別ごとに組分けされる。
【００２１】
検眼パラメータは、被検眼の視機能を検査するための検査条件を示すものである。たとえば、検眼パラメータの種別は、球面度数、乱視度数、乱視軸角度、加入度数、瞳孔間距離、プリズム度数、およびプリズム方向のうち少なくとも１つを含む。検眼パラメータの種別ごとの組分けとして、球面度数の組は、複数の球面レンズを含み、それぞれ異なる球面度数の球面レンズにより構成される。乱視度数の組は、複数の円柱レンズを含み、それぞれ異なる乱視度数の円柱レンズにより構成される。なお、乱視度数の組は、さらに乱視軸角度ごとに組分けされてもよい。加入度数の組は、複数の累進レンズを含み、それぞれ異なる加入度数の累進レンズにより構成される。プリズム度数の組は、複数のプリズムレンズを含み、それぞれ異なるプリズム度数のプリズムレンズにより構成される。なお、プリズム度数の組は、さらにプリズム方向ごとに組分けされてもよい。瞳孔間距離は、被検眼の瞳孔間距離に合わせて設定される検査条件である。瞳孔間距離は、左眼用検眼ユニット１０Ｌと右眼用検眼ユニット１０Ｒの一方または双方が、水平方向（図１の矢印方向ｍ）にスライドすることにより設定される。
【００２２】
各検眼ユニットが有する駆動機構は、複数の光学素子のそれぞれを検眼窓に配置させ、且つ、検眼窓から退避させることが可能に構成される。たとえば、駆動機構は、複数のターレット板を有する。ターレット板は、円板形状である。ターレット板は、駆動機構において、円の中心を軸として円周回りに回動可能に構成される。ターレット板は、縁の近傍に複数の孔を有し、孔には、光学素子が嵌め込まれている。駆動機構は、ターレット板を回動させることにより、複数の光学素子のそれぞれを検眼窓に配置させ、且つ、検眼窓から退避させる。
【００２３】
測定ヘッド１０は、メイン制御装置４０からの制御を受けて光学素子を切り替えることにより、球面度数、乱視度数、乱視軸角度、加入度数、瞳孔間距離、プリズム度数、およびプリズム方向のうち少なくとも１つを切り替えて被検眼に適用することが可能である。
【００２４】
（視標呈示装置２０）
視標呈示装置２０は、測定ヘッド１０の前方の所定距離の位置に配置される。視標呈示装置２０は、１または複数の切り替え可能な視標を表示することによって、被検眼に視標を呈示する。視標呈示装置２０は、メイン制御装置４０からの制御信号を受け、視力検査視標、赤緑検査視標、乱視検査視標などの視標を表示することが可能である。視標呈示装置２０は、メイン制御装置４０からの制御信号により、あらかじめ決められた順序で視標を表示したり、当該制御信号により指定された視標を表示したりすることが可能である。
【００２５】
（メイン制御装置４０）
メイン制御装置４０は、検眼装置１の各部を制御する。メイン制御装置４０は、コントローラ５０に対する操作に対応した操作情報をコントローラ５０から受けて、検眼装置１の各部を制御する。具体的には、メイン制御装置４０は、ケーブルを介して、コントローラ５０との有線の通信の接続を確立する。メイン制御装置４０は、コントローラ５０との通信の接続が確立された状態において、コントローラ５０によって受け付けられた操作に対応した操作情報をコントローラ５０から受信する。メイン制御装置４０は、受信された操作情報に基づいて、測定ヘッド１０と視標呈示装置２０の一方または双方を制御する。
【００２６】
また、メイン制御装置４０は、タブレット端末１００に対する操作に対応した操作情報をタブレット端末１００から受けて、検眼装置１の各部を制御する。具体的には、メイン制御装置４０は、無線の通信路を介して、タブレット端末１００との通信の接続を確立する。メイン制御装置４０は、タブレット端末１００との無線の通信の接続が確立された状態において、タブレット端末１００によって受け付けられた操作に対応した操作情報をタブレット端末１００から受信する。メイン制御装置４０は、受信された操作情報に基づいて、測定ヘッド１０と視標呈示装置２０の一方または双方を制御する。
【００２７】
メイン制御装置４０は、あらかじめ決められた視標とその呈示順序とが設定された視標制御情報に従って視標を被検眼に呈示させるように視標呈示装置２０を制御する。また、メイン制御装置４０は、タブレット端末１００またはコントローラ５０に対する操作により指定された視標を被検眼に呈示させるように視標呈示装置２０を制御することができる。
【００２８】
このようなメイン制御装置４０は、中央演算処理装置（Ｃｅｎｔｒａｌ  Ｐｒｏｃｅｓｓｉｎｇ  Ｕｎｉｔ：以下、ＣＰＵ）および記憶装置を有するコンピュータを備えた眼科装置である。記憶装置には、あらかじめ検眼装置制御プログラムが記憶されており、ＣＰＵが記憶装置から読み出された検眼装置制御プログラムに従って処理を実行することにより、測定ヘッド１０および視標呈示装置２０の制御を行う。また、メイン制御装置４０は、専用のハードウェアによって測定ヘッド１０および視標呈示装置２０を制御するようにしてもよい。
【００２９】
（コントローラ５０）
図２に、図１のコントローラ５０の外観構成を概略的に示す。コントローラ５０は、操作部５１と、表示部５２とを有する。操作部５１は、図２に示すように、複数のスイッチと１つのダイヤルとを有し、スイッチの押下やダイヤルの回転などの操作を受け付ける。複数のスイッチには、検査パラメータを切り替えるためのスイッチ、検査パラメータの切り替え方向を変更するためのスイッチ、検査対象眼を切り替えるためのスイッチ、切り替え対象を移動させるためのスイッチ、検査種別を切り替えるためのスイッチなどがある。切り替え方向には、検査パラメータを所定の方向に変更する＋側と、検査パラメータを＋側とは反対方向に変更する−側とがある。ダイヤルは、回転操作量に応じた分だけ、検眼パラメータの値や検眼パラメータの種別を変更する。このような操作部５１に対する操作者による操作を受けて、コントローラ５０は、操作内容に対応した操作情報をメイン制御装置４０に送る。メイン制御装置４０は、コントローラ５０に対する操作に対応した操作情報をコントローラ５０から受けて、測定ヘッド１０や視標呈示装置２０を制御する。
【００３０】
表示部５２には、測定ヘッド１０の検眼窓にセットされている光学素子の光学特性のパラメータである検眼パラメータの値が、検眼パラメータの種別ごとに光学特性データとして表示される。また、表示部５２には、視標呈示装置２０により呈示された視標または視標チャートが表示される。表示部５２には、切り替え可能な検眼パラメータの値、検眼パラメータの種別、視標、視標チャートなども表示されてもよい。メイン制御装置４０は、各種情報を表示部５２に表示させるように制御する。
【００３１】
（タブレット端末１００）
図３に、図１のタブレット端末１００の外観構成を概略的に示す。タブレット端末１００は、タッチパネル機能を有する表示パネル１０１を有する。表示パネル１０１は、操作画面を表示する表示部１０１ａとして機能するとともに、表示パネル１０１に対する操作者によるジェスチャー操作（タッチ操作）を受け付ける操作部１０１ｂとして機能する。以下では、タッチ操作は、操作面に触れることにより行われる操作として説明するが、操作面に触れることなく操作面の近傍で行われる操作を含んでもよい。表示部１０１ａとしての表示パネル１０１に表示された操作画面は、コントローラ５０の操作部５１に設けられた複数のスイッチのうちの少なくとも一部の機能を実現するための操作画面である。以下、この実施形態では、タップ操作や長押し操作などの静的なタッチ操作についても「ジェスチャー操作」と表記する場合がある。また、記号の入力操作もジェスチャー操作の一種として、「ジェスチャー操作」と表記する場合がある。
【００３２】
操作部１０１ｂとしての表示パネル１０１は、操作者の指やスタイラスなどによるタッチ操作の検出が可能な操作面（検知面）を有する。ジェスチャー操作には、たとえば、操作面に対するピンチイン操作、ピンチアウト操作、フリック操作、タップ操作、ドラッグ操作、スワイプ操作などが含まれる。ピンチイン操作は、操作者が操作面に触れながら２本の指を近付ける操作である。ピンチアウト操作は、操作者が操作面に触れながら２本の指を遠ざける操作である。フリック操作は、操作者が操作面を払うように触れる操作である。タップ操作は、操作者が操作面を叩くように触れる操作である。ドラッグ操作は、操作者が操作面に触れたまま、触れた点から他の点まで引きずるように操作面に触れる操作である。スワイプ操作は、操作者が操作面を掃くように触れる操作である。たとえば、操作部１０１ｂは、静電容量方式、抵抗膜方式、表面弾性波方式などの検知方式によって、タッチ操作を検知する。
【００３３】
タブレット端末１００は、このような表示パネル１０１に対する操作者によるジェスチャー操作を受け、事前に通信の接続が確立された通信路を介して、このジェスチャー操作に応じた操作情報（制御信号）をメイン制御装置４０に送る。
【００３４】
このようなタブレット端末１００は、ＣＰＵおよび記憶装置を有するコンピュータを備えた検眼装置用コントローラである。記憶装置には、あらかじめ検眼装置制御プログラムが記憶されており、ＣＰＵが記憶装置から読み出された検眼装置制御プログラムに従って処理を実行することにより、測定ヘッド１０および視標呈示装置２０の切り替えを指示するための制御信号を出力する。また、タブレット端末１００は、専用のハードウェアによって測定ヘッド１０および視標呈示装置２０の切り替えを指示するための制御信号を出力するようにしてもよい。
【００３５】
この実施形態では、タブレット端末１００またはコントローラ５０は、検者による被検者の応答入力用の操作装置である。以下では、検者による被検者の応答入力用の操作装置がタブレット端末１００である場合について説明するが、被検者の応答入力用の操作装置がコントローラ５０である場合も同様である。
【００３６】
タブレット端末１００は、検者による被検者の応答入力用の操作画面を表示部１０１ａに表示する。タブレット端末１００の表示部１０１ａには、被検眼に呈示されている視標が検者に向けて表示されてもよい。タブレット端末１００は、測定ヘッド１０により複数の光学素子が選択的に適用されている被検眼に対し視標呈示装置２０により呈示された視標に対する被検者の応答の内容の入力操作を受け付ける。被検者の応答の内容の入力は、タブレット端末１００に対するジェスチャー操作やタブレット端末１００の表示部１０１ａに表示されたアイコンに対するタッチ操作などにより可能になっている。たとえば、タブレット端末１００は、このような操作により入力された当該視標に対する被検者の応答の内容を解析し、解析された結果を操作情報（制御信号）としてメイン制御装置４０に対して送る。メイン制御装置４０は、タブレット端末１００からの操作情報から被検者の応答の内容の正誤を判定し、判定された結果に基づいて、測定ヘッド１０または視標呈示装置２０を制御したり、次に適用される視力値の決定をしたりする。
【００３７】
［制御系の構成］
図４に、第１実施形態に係る検眼装置１の基本構成例のブロック図を示す。図４において、図１と同様の部分には同一符号を付し、適宜説明を省略する。
図５および図６に、図４の検眼装置１の各部の構成例の機能ブロック図を示す。図５および図６において、図４と同様の部分には同一符号を付し、適宜説明を省略する。
【００３８】
検眼装置１は、測定ヘッド１０、視標呈示装置２０、メイン制御装置４０、コントローラ５０、およびタブレット端末１００に加えて、出力装置６０を含んで構成されている。
【００３９】
メイン制御装置４０は、複数のタブレット端末１００との通信が可能に構成されるが、以下では、１つのタブレット端末１００との通信を行うものとする。検眼装置１を用いた検査の前後や検査途中で、タブレット端末１００は、メイン制御装置４０との通信の接続の確立を行ったり、通信の接続を切断したりすることが可能である。メイン制御装置４０は、コントローラ５０やタブレット端末１００に対する操作を受け、測定ヘッド１０や視標呈示装置２０を制御するたびにその制御結果をコントローラ５０やタブレット端末１００に反映させる。これにより、検査の前後のみならず検査途中でメイン制御装置４０との通信の接続が確立されたタブレット端末１００を用いて、引き続き検査を継続させることが可能になる。
【００４０】
タブレット端末１００は、メイン制御装置４０の他に、有線または無線の通信路を介してキーボード（図示せず）の接続が可能に構成される。キーボードは、コントローラ５０の操作部５１と同様の複数のスイッチと１つのダイヤルとを有する。キーボードでは、コントローラ５０の操作部５１と同様の複数のスイッチおよび１つのダイヤルが操作部５１と同様に配置される。タブレット端末１００にキーボードが接続されている状態では、タブレット端末１００は、キーボードに対する操作に対応した操作情報をキーボードから受け、この操作情報をメイン制御装置４０に送る。従って、キーボードに対する操作を行う操作者は、タブレット端末１００の表示パネル１０１に表示された操作画面を見ながら、コントローラ５０と同様に操作し、測定ヘッド１０または視標呈示装置２０を制御することが可能である。
【００４１】
このような検眼装置１では、図５および図６に示すように、各部は次のような構成を有する。
【００４２】
測定ヘッド１０は、左眼用検眼ユニット１０Ｌと、右眼用検眼ユニット１０Ｒと、通信制御部１２と、制御部１３とを含んで構成されている。
【００４３】
通信制御部１２は、ケーブルを介して接続されたメイン制御装置４０との間の通信インターフェース処理を行う。通信インターフェース処理は、メイン制御装置４０からの制御信号の受信処理などを含む。制御部１３は、測定ヘッド１０の各部を制御する。制御部１３は、通信制御部１２を介してメイン制御装置４０から受けた制御信号に基づいて、左眼用検眼ユニット１０Ｌと右眼用検眼ユニット１０Ｒの一方または双方を制御する。左眼用検眼ユニット１０Ｌは、制御部１３からの制御を受け、検眼窓１１Ｌに配置される光学素子を切り替える。右眼用検眼ユニット１０Ｒは、制御部１３からの制御を受け、検眼窓１１Ｒに配置される光学素子を切り替える。
【００４４】
また、通信制御部１２における通信インターフェース処理においてメイン制御装置４０に対する測定ヘッド１０の設定情報の送信処理が行われてもよい。この場合、制御部１３は、メイン制御装置４０または測定ヘッド１０で発生されたトリガに基づいて、通信制御部１２により測定ヘッド１０の設定情報をメイン制御装置４０に対して送信させることが可能である。このような制御部１３は、ＣＰＵおよび記憶装置を有する。記憶装置には、あらかじめ測定ヘッド制御プログラムが記憶されており、ＣＰＵが記憶装置から読み出された測定ヘッド制御プログラムに従って処理を実行することにより、測定ヘッド１０の各部の制御を行う。また、制御部１３は、専用のハードウェアによって測定ヘッド１０の各部を制御するようにしてもよい。
【００４５】
視標呈示装置２０は、通信制御部２１と、制御部２２と、表示制御部２３と、表示部２４とを含んで構成されている。通信制御部２１は、ケーブルを介して接続されたメイン制御装置４０との間の通信インターフェース処理を行う。通信インターフェース処理は、メイン制御装置４０からの制御信号の受信処理などを含む。制御部２２は、視標呈示装置２０の各部を制御する。制御部２２は、通信制御部２１を介してメイン制御装置４０から受けた制御信号に基づいて、視標の呈示状態を変更する。具体的には、制御部２２は、表示制御部２３により、制御信号に基づいて変更された視標を表示部２４に表示させる。
【００４６】
また、通信制御部２１における通信インターフェース処理においてメイン制御装置４０に対する視標呈示装置２０の呈示情報の送信処理が行われてもよい。この場合、制御部２２は、メイン制御装置４０または視標呈示装置２０で発生されたトリガに基づいて、通信制御部２１により視標呈示装置２０の呈示情報をメイン制御装置４０に対して送信させることが可能である。このような制御部２２は、ＣＰＵおよび記憶装置を有する。記憶装置には、あらかじめ視標呈示装置制御プログラムが記憶されており、ＣＰＵが記憶装置から読み出された視標呈示装置制御プログラムに従って処理を実行することにより、視標呈示装置２０の各部の制御を行う。また、制御部２２は、専用のハードウェアによって視標呈示装置２０の各部を制御するようにしてもよい。
【００４７】
コントローラ５０は、操作部５１と、表示部５２と、通信制御部５３と、制御部５４と、表示制御部５５とを含んで構成されている。通信制御部５３は、ケーブルを介して接続されたメイン制御装置４０との間の通信インターフェース処理を行う。通信インターフェース処理は、メイン制御装置４０からの制御制御信号の受信処理と、コントローラ５０に対する操作に対応した操作情報の送信処理などを含む。制御部５４は、コントローラ５０の各部を制御する。制御部５４は、表示制御部５５により、通信制御部５３を介してメイン制御装置４０から受けた制御信号に基づいて表示部５２に操作画面や検眼装置１の動作状態などを表示させる。具体的には、制御部５４は、表示制御部５５により、制御信号に基づいて操作画面や検眼装置１の動作状態などを表示部５２に表示させる。なお、制御部５４は、あらかじめ登録された操作画面情報に基づいて表示部５２に操作画面を表示させることも可能である。
【００４８】
また、制御部５４は、操作部５１に対する操作に対応した操作情報を生成する。具体的には、制御部５４は、操作部５１が有する複数のスイッチおよびダイヤルを操作することにより生成された操作信号を操作部５１から受ける。この操作信号の内容と操作部５１に対する操作内容に対応した操作情報とを対応付けたテーブル情報があらかじめ設定されている。制御部５４は、操作部５１から操作信号を受けると、このテーブル情報を参照することにより、操作部５１に対する操作内容に対応した操作情報を生成する。制御部５４は、通信制御部５３により、生成された操作情報を通信制御部５３によりメイン制御装置４０に送信させる。
【００４９】
タブレット端末１００は、表示部１０１ａと操作部１０１ｂとを有するタッチパネルを含んで構成される。また、タブレット端末１００は、通信制御部１０２と、制御部１０３と、表示制御部１０４とを含んで構成されている。通信制御部１０２は、メイン制御装置４０との無線の通信の接続の確立処理を行い、通信の接続が確立された状態で、メイン制御装置４０との間の通信インターフェース処理を行う。また、通信制御部１０２は、メイン制御装置４０との間の通信の接続の切断処理も行う。通信インターフェース処理は、メイン制御装置４０からの制御信号の受信処理と、タブレット端末１００（表示パネル１０１）に対する操作に対応した操作情報の送信処理などを含む。制御部１０３は、タブレット端末１００の各部を制御する。制御部１０３は、通信制御部１０２を介してメイン制御装置４０から受けた制御信号に基づいて表示部１０１ａに操作画面や検眼装置１の動作状態などを表示させる。具体的には、制御部１０３は、表示制御部１０４により操作画面や検眼装置１の動作状態などを表示部１０１ａに表示させる。
【００５０】
制御部１０３は、表示部１０１ａ（操作面）に表示された操作画面に対するタッチ操作を検出し、検出されたタッチ操作に対応した操作情報を生成する。具体的には、操作部１０１ｂの操作面に対し、２次元座標系があらかじめ定義されている。操作部１０１ｂは、操作面に対するタッチ操作を検知すると、タッチ操作が検知された２次元座標系における位置情報を制御部１０３に対して出力する。制御部１０３は、操作部１０１ｂからの位置情報を受けることにより、以下のようにタッチ操作の検出が可能になる。
【００５１】
表示部１０１ａに表示された操作画面内には、操作可能領域が設けられる。操作可能領域は、少なくとも１つのジェスチャー操作可能領域を含む。ジェスチャー操作可能領域は、操作画面に対するジェスチャー操作の受け付けが可能な領域である。
【００５２】
ジェスチャー操作可能領域に対するタッチ操作が行われると、制御部１０３は、操作部１０１ｂからの位置情報を繰り返し検出することにより、検知時間（たとえば、操作面への接触時間）と検知位置の軌跡とを判別する。これにより、制御部１０３は、当該ジェスチャー操作可能領域に対するジェスチャー操作の内容（タップ操作、ドラッグ操作、フリック操作、スワイプ操作、各タッチ操作の方向など）を特定することができる。制御部１０３は、特定されたジェスチャー操作の内容を示す操作情報を生成する。操作情報には、当該ジェスチャー操作が受け付けられたジェスチャー操作可能領域を示す情報が含まれてもよい。制御部１０３は、通信制御部１０２により、生成された操作情報を通信制御部１０２によりメイン制御装置４０に送信させる。
【００５３】
また、ジェスチャー操作可能領域に対するタッチ操作が行われると、制御部１０３は、操作部１０１ｂからの位置情報を繰り返し検出することにより、タッチ位置の軌跡（入力軌跡）を特定するようにしてもよい。この場合、制御部１０３は、テンプレート情報として複数の記号テンプレートをあらかじめ記憶する。記号テンプレートは、視標としての記号の形状を示すデータである。制御部１０３は、特定されたタッチ位置の軌跡と、複数の記号テンプレートとを照合し、照合された記号テンプレートに対応する記号を特定する。制御部１０３は、特定された記号を示す操作情報を生成する。操作情報には、当該入力操作が受け付けられたジェスチャー操作可能領域を示す情報が含まれてもよい。
【００５４】
出力装置６０は、制御部４７からの制御を受け、検眼装置１を用いた検査結果などの各種情報の出力を行う装置である。出力装置６０には、各種情報の表示を行う表示装置や各種情報の印刷を行う印刷装置がある。表示装置には、ＣＲＴ（Ｃａｔｈｏｄｅ  Ｒａｙ  Ｔｕｂｅ）や、液晶ディスプレイ、プラズマディスプレイ、有機エレクトロルミネッセンスディスプレイなどがある。印刷装置には、公知の印刷方式で紙などの媒体に印刷する装置がある。
【００５５】
メイン制御装置４０は、図５に示すように、通信制御部４１、４２、４３、４４と、電源部４５と、視標画像生成部４６と、制御部４７と、記憶部４８とを含んで構成されている。制御部４７は、図６に示すように、正誤判定部４７１と、正答率算出部４７２と、正答率判定部４７３と、視力値決定部４７４と、集計部４７５とを含んで構成されている。
【００５６】
通信制御部４１は、ケーブルを介して接続された測定ヘッド１０（通信制御部１２）との間の通信インターフェース処理を行う。通信インターフェース処理は、測定ヘッド１０に対する制御信号の送信処理などを含む。また、通信インターフェース処理において測定ヘッド１０の設定情報の受信処理が行われてもよい。この場合、制御部４７は、メイン制御装置４０または測定ヘッド１０で発生されたトリガに基づいて、通信制御部４１により測定ヘッド１０の設定情報を測定ヘッド１０から受信させることが可能である。
【００５７】
通信制御部４２は、ケーブルを介して接続された視標呈示装置２０（通信制御部２１）との間の通信インターフェース処理を行う。通信インターフェース処理は、視標呈示装置２０に対する制御信号の送信処理などを含む。この制御信号には、視標画像生成部４６により生成され、視標呈示装置２０の表示部２４に表示される視標の画像を表す画像データ信号などが含まれる。また、通信インターフェース処理において視標呈示装置２０の呈示情報の受信処理が行われてもよい。この場合、制御部４７は、メイン制御装置４０または視標呈示装置２０で発生されたトリガに基づいて、通信制御部４２により視標呈示装置２０の呈示情報を視標呈示装置２０から受信させることが可能である。
【００５８】
通信制御部４３は、ケーブルを介して接続されたコントローラ５０（通信制御部５３）との間の通信インターフェース処理を行う。通信インターフェース処理は、コントローラ５０に対する操作に対応した操作情報の受信処理と、コントローラ５０に対する制御信号の送信処理などを含む。この制御信号には、制御部４７により生成され、コントローラ５０の表示部５２に表示される操作画面の画像データ信号などが含まれてもよい。なお、メイン制御装置４０（制御部４７）がコントローラ５０の表示部５２に表示される操作画面を作成する場合、この制御信号には、操作画面の画像データ信号などが含まれてもよい。
【００５９】
通信制御部４４は、タブレット端末１００（通信制御部１０２）との無線の通信の接続の確立処理を行い、通信の接続が確立された状態で、タブレット端末１００（通信制御部１０２）との間の通信インターフェース処理を行う。また、通信制御部４４は、タブレット端末１００（通信制御部１０２）との間の通信の接続の切断処理も行う。通信インターフェース処理は、タブレット端末１００（通信制御部１０２）または上記のキーボードに対する操作に対応した操作情報の受信処理と、メイン制御装置４０からの制御信号の送信処理などを含む。なお、メイン制御装置４０（制御部４７）がタブレット端末１００の表示部１０１ａに表示される操作画面を作成する場合、この制御信号には、操作画面の画像データ信号などが含まれてもよい。
【００６０】
電源部４５は、測定ヘッド１０、視標呈示装置２０、メイン制御装置４０、コントローラ５０、および出力装置６０の電源を生成し、生成された電源を各部に供給する。なお、測定ヘッド１０、視標呈示装置２０、メイン制御装置４０、コントローラ５０、および出力装置６０は、それぞれ個別に電源が供給されてもよい。
【００６１】
視標画像生成部４６は、視標呈示装置２０の表示部２４に表示される視標画像（視標画像データ）を生成する。視標画像生成部４６は、制御部４７からの制御を受け、視標画像を生成する。視標画像には、制御部４７からの制御に基づいて指定された視力値の視標や視標チャートなどが含まれる。たとえば、視標と所定の視力値の視標画像パターンとを対応付けたテーブル情報があらかじめ設定されている。視標画像生成部４６は、このテーブル情報を参照することにより、制御部４７により指定された視力値となるように視標画像パターンの拡大処理や縮小処理を行うことで、所望の視力値の視標画像を生成する。制御部４７は、通信制御部４２により、視標画像生成部４６によって生成された視標画像（視標画像データ）を視標呈示装置２０に送信させる。この実施形態では、メイン制御装置４０による視標呈示装置２０の制御に、視標画像生成部４６により生成された視標画像（視標画像データ）の送信が含まれてもよい。
【００６２】
記憶部４８は、メイン制御装置４０において実行される各種の制御プログラムや視標画像生成部４６により生成された視標画像（視標画像データ）を記憶する。また、記憶部４８は、メイン制御装置４０における各種処理の作業用の記憶領域として用いられる。
【００６３】
制御部４７は、メイン制御装置４０の各部を制御する。制御部４７は、通信制御部４３により、コントローラ５０との通信の接続を確立させる。制御部４７は、コントローラ５０との通信の接続が確立された状態において、通信制御部４３により、コントローラ５０によって受け付けられた操作に対応した操作情報をコントローラ５０から受信させる。制御部４７は、通信制御部４１を介して測定ヘッド１０を制御することにより、受信された操作情報に基づいて複数の光学素子のいずれかを被検眼に適用するように検眼装置１を制御する。制御部４７は、通信制御部４２を介して視標呈示装置２０を制御することにより、受信された操作情報に基づいて視標の呈示状態を変更するように検眼装置１を制御する。
【００６４】
また、制御部４７は、通信制御部４４により、タブレット端末１００との通信の接続を確立させる。制御部４７は、タブレット端末１００との通信の接続が確立された状態において、通信制御部４４により、タブレット端末１００によって受け付けられた操作に対応した操作情報をタブレット端末１００から受信させる。制御部４７は、受信された操作情報に基づいて測定ヘッド１０または視標呈示装置２０を制御する。制御部４７は、入力操作により特定された記号に対応した視標を視標呈示装置２０により被検眼に呈示するように制御する。
【００６５】
制御部４７は、タブレット端末１００およびコントローラ５０の一方によって受け付けられた操作に基づく測定ヘッド１０の制御結果または視標呈示装置２０の制御結果（検眼装置１の制御結果）を、他方に反映させることができる。たとえば、タブレット端末１００によって受け付けられた操作に基づいて測定ヘッド１０が制御されたとき、コントローラ５０の表示部５２に表示された操作画面が測定ヘッド１０の制御結果により更新される。これにより、コントローラ５０の操作者は、タブレット端末１００に対する操作の結果を認識しながら、コントローラ５０に対する操作を行うことが可能になる。また、たとえば、コントローラ５０によって受け付けられた操作に基づいて視標呈示装置２０が制御されたとき、タブレット端末１００の表示部１０１ａに表示された操作画面が視標呈示装置２０の制御結果により更新される。これにより、タブレット端末１００の操作者は、コントローラ５０に対する操作の結果を認識しながら、タブレット端末１００に対する操作を行うことが可能になる。
【００６６】
この実施形態では、タブレット端末１００に対する検者による被検者の応答の内容の入力操作に対応した操作情報が、メイン制御装置４０に送られる。正誤判定部４７１は、タブレット端末１００に対する被検者の応答の内容の入力操作に対応した操作情報に基づいて、当該応答の内容の正誤を判定する。
【００６７】
メイン制御装置４０は、上記のように視標呈示装置２０を制御するため、被検眼に呈示された視標（以下、呈示視標）の特定が可能である。視標呈示装置２０により呈示される視標は、被検眼に視力値を測定するための視力測定用視標を含む。視力測定用視標には、たとえば、ランドルト環、Ｅチャート、スネレン視標などがある。呈示視標がランドルト環（Ｅチャートなどでも可）である場合、タブレット端末１００は、検者による被検者の応答の内容の入力操作として、ランドルト環の切れ目の方向（具体的には、ランドルト環の切れ目の方向として被検者が認識した方向。以下、同様。）を指定する操作を受け付ける。切れ目の方向を指定する操作には、指定する方向へのフリック操作やスワイプ操作やドラッグ操作などのジェスチャー操作がある。あるいは、切れ目の方向を指定する操作には、指定する方向に対応したアイコンに対するタッチ操作などがある。正誤判定部４７１は、タブレット端末１００からの操作情報により指定された切れ目の方向が呈示視標の切れ目の方向と一致したか否かを判別することにより、当該応答の内容の正誤判定を行う。
【００６８】
呈示視標が記号視標（スネレン視標などの文字視標を含む）である場合、タブレット端末１００は、検者による被検者の応答の内容の入力操作として、記号視標の形状を描くジェスチャー操作を受け付ける。あるいは、検者による被検者の応答の内容の入力操作には、記号視標に対応したアイコンに対するタッチ操作などがある。正誤判定部４７１は、タブレット端末１００からの操作情報により指定された記号視標が呈示視標と一致したか否かを判別することにより、当該応答の内容の正誤判定を行う。
【００６９】
正答率算出部４７２は、所定の検査範囲ごとに、正誤判定部４７１により判定された被検者の応答の内容の正答率を算出する。たとえば、同一視力値に対応する５つの視標を用いた視力検査を１つの検査範囲とすると、正答率算出部４７２は、同一視力値に対応する５つの視標に対する被検者の応答の内容の正答率を算出する。なお、検査範囲は、事後的に変更が可能であってもよい。また、検査範囲は、検査中に検者により直接に指定されてもよい。
【００７０】
正答率判定部４７３は、所定回数（所定数）以上の応答の内容の入力に対して正答率算出部４７２により算出された正答率が基準正答率以上であるか否かを判定する。所定回数は、被検眼に呈示される同一視力値に対応する視標の数以下であって、当該視標の数の半分を超えた最小の整数とすることが可能である。たとえば、同一視力値に対応する５つの視標を被検眼に呈示する場合、所定回数は３である。基準正答率は、被検眼に呈示される同一視力値に対応する視標の数に対する所定回数の割合とすることが可能である。たとえば、たとえば、同一視力値に対応する５つの視標を被検眼に呈示する場合、基準正答率は、３／５である。所定回数または基準正答率は、事後的に変更が可能であってもよい。
【００７１】
視力値決定部４７４は、被検者の所定回数以上の応答の内容の正答率に基づいて、次に適用される視力値を決定する。具体的には、視力値決定部４７４は、正答率判定部４７３による判定結果に基づいて次に適用される視力値を決定する。たとえば、視標呈示装置２０は、メイン制御装置４０からの制御を受け、同一視力値に対応する５つの視標を被検眼に呈示する。視力値決定部４７４は、正答率判定部４７３による判定結果を受け、３回以上の応答の内容の入力に対して正答率が３／５以上であるとき、視力値を１ステップだけ増大させた視力値を次に適用される視力値として決定する。なお、３回以上の応答の内容の入力に対して正答率が３／５未満であるとき、視力値決定部４７４は、１ステップだけ下げた視力値または現在の視力値を次に適用される視力値として決定する。次に適用される視力値として現在の視力値が決定された場合、たとえば、光学素子を切り替えて検査が継続される。すなわち、制御部４７は、視力値決定部４７４により決定された視力値に対応する視力測定用視標を呈示するように視標呈示装置２０を制御することが可能である。また、制御部４７は、視力値決定部４７４により決定された視力値に対応する光学素子を適用するように測定ヘッド１０を制御することが可能である。
【００７２】
記憶部４８は、被検者の複数の応答の内容の正誤を示す正誤情報を記憶する。正誤情報は、被検者の応答の内容とその正誤を示す情報を含んでもよい。この正誤情報は、視力値ごとに、被検眼に呈示された複数の視標と、当該複数の視標に対する複数の応答の内容およびその正誤とを対応付けた情報である。制御部４７は、記憶部４８に記憶された正誤情報を出力装置６０に出力させることができる。また、制御部４７は、視力値ごとに被検者の応答の内容およびその正誤を出力装置６０に出力させることができる。また、制御部４７は、正誤情報や、視力値ごとに被検者の応答の内容およびその正誤を電子カルテ情報にリンク付けするようにしてもよい。あるいは、正誤情報や、視力値ごとに被検者の応答の内容およびその正誤は、タブレット端末１００に送られて、表示部１０１ａに表示されてもよい（コントローラ５０も同様）。
【００７３】
集計部４７５は、記憶部４８に記憶された正誤情報に基づいて、被検者の応答の内容が正答である視標、被検者の応答の内容が誤答である視標、または視標の種別（たとえば視標の向き）ごとの被検者の応答の内容の正誤を集計する。制御部４７は、集計部４７５による集計結果を出力装置６０に出力させることができる。また、制御部４７は、集計部４７５による集計結果を電子カルテ情報にリンク付けするようにしてもよい。あるいは、集計部４７５による集計結果は、タブレット端末１００に送られて、表示部１０１ａに表示されてもよい（コントローラ５０も同様）。
【００７４】
なお、正誤判定部４７１、正答率算出部４７２、正答率判定部４７３、視力値決定部４７４、および集計部４７５のうち少なくとも１つは、タブレット端末１００の制御部１０３に含まれていてもよい。また、被検者の応答の内容を入力する応答入力手段としてコントローラ５０が用いられる場合、制御部５４に正誤判定部４７１、正答率算出部４７２、正答率判定部４７３、視力値決定部４７４、および集計部４７５のうち少なくとも１つが含まれていてもよい。
【００７５】
測定ヘッド１０は、この実施形態に係る「光学素子適用手段」の一例である。視標呈示装置２０は、この実施形態に係る「視標呈示手段」の一例である。タブレット端末１００と表示部１０１ａは、この実施形態に係る「応答入力手段」と「表示手段」の一例である。コントローラ５０と表示部５２は、この実施形態に係る「応答入力手段」と「表示手段」の一例である。制御部４７は、この実施形態に係る「制御手段」の一例である。正誤判定部４７１は、この実施形態に係る「判定手段」の一例である。視力値決定部４７４は、この実施形態に係る「視力値決定手段」の一例である。記憶部４８は、この実施形態に係る「記憶手段」の一例である。出力装置６０は、この実施形態に係る「出力手段」の一例である。集計部４７５は、この実施形態に係る「集計手段」の一例である。
【００７６】
［動作例］
図７に、検眼装置１を用いた検査フローの一例を概略的に示す。図７は、検眼装置１を用いた遠用屈折測定における検査フローの一例を表す。なお、図７は、事前に行われた他覚測定によって得られたデータを用いて自覚測定を行う場合の検査フローを表す。
【００７７】
検眼装置１を用いた自覚測定は、他覚測定によって得られたデータを基に、まず、右眼に対する自覚測定が行われる。右眼に対する自覚測定は、右眼の球面度数（球面レンズ値）の測定（Ｓ１）、乱視軸を測定するためのクロスシリンダ（以下、ＣＣ）テスト（Ｓ２）、乱視度数を測定するためのＣＣテスト（Ｓ３）、再度の右眼の球面度数の測定（Ｓ４）、そして右眼の矯正視力の測定（Ｓ５）の順に行われる。Ｓ１では、ＣＣテスト用視標が見えるように大まかな球面度数が測定される。Ｓ４では、球面度数の測定値が最終的に決定される。
【００７８】
次に、左眼に対する自覚測定も、これと同じ工程により行われる（Ｓ６〜Ｓ１０）。片眼ごとの自覚測定が終了すると、両眼バランステスト（Ｓ１１）が行われ、片眼ごとに行われた自覚測定の結果が調整され、自覚測定による眼屈折力（自覚値）が決定される（Ｓ１２）。
【００７９】
この実施形態では、たとえば、Ｓ５またはＳ１０における矯正視力の測定において、検眼装置１は、光学素子や視標を切り替えながら、タブレット端末１００に対する被検者の応答の内容の入力を受け付け、視力値を決定する。
【００８０】
たとえば、メイン制御装置４０は、Ｓ１（またはＳ６）における測定値に基づき視力値が０．５であり、互いに向きが異なる５つのランドルト環を視標呈示装置２０に呈示させる。メイン制御装置４０からの制御信号を受け、タブレット端末１００は、視標呈示装置２０に呈示された５つのランドルト環と同じ５つのランドルト環が配置された操作画面を表示部１０１ａに表示させる。
【００８１】
表示部１０１ａに表示された操作画面内には、各ランドルト環の配置位置にジェスチャー操作可能領域が設定される。タブレット端末１００は、ランドルト環ごとに、ランドルト環に対応して設定されたジェスチャー操作可能領域において検者による被検者の応答の内容の入力操作を受け付ける。被検者の応答の内容の入力は、たとえば、タブレット端末１００に対するジェスチャー操作やタブレット端末１００の表示部１０１ａに表示された操作画面内のアイコンに対するタッチ操作などにより可能になっている。タブレット端末１００は、検者による入力操作に対応した操作情報をメイン制御装置４０に送る。タブレット端末１００は、メイン制御装置４０によって行われた被検者の応答の内容の正誤の判定結果を受け、当該ランドルト環に重ねて、または当該ランドルト環の近傍に、その判定結果を表示する。
【００８２】
以上の被検者の応答の内容の入力を最大で５回繰り返す。３回以上の応答の内容の入力に対し正答率が３／５以上であると判定されたとき、メイン制御装置４０は、次に適用される視力値を０．６とし、視力値が０．６のランドルト環の視標画像を生成し、生成されたランドルト環を被検眼に呈示させるように視標呈示装置２０を制御する。
【００８３】
一方、３回以上の応答の内容の入力に対し正答率が３／５未満であると判定されたとき、メイン制御装置４０は、たとえば、次に適用される視力値を０．４とし、視力値が０．４のランドルト環の視標画像を生成し、生成されたランドルト環を被検眼に呈示させるように視標呈示装置２０を制御する。あるいは、３回以上の応答の内容の入力に対し正答率が３／５未満であると判定されたとき、メイン制御装置４０は、視力値を変更せず、検者により指定された光学素子、またはあらかじめ決められた順序に従って次の光学素子に切り替え、被検眼に適用させるように測定ヘッド１０を制御する。
【００８４】
以下、Ｓ５またはＳ１０における検眼装置１の動作例について説明する。
【００８５】
図８に、第１実施形態に係るメイン制御装置４０の動作例のフロー図を示す。図８は、Ｓ５における検眼装置１の動作例を表す。
【００８６】
（Ｓ２１）
制御部４７は、事前に行われたＳ１における測定値に基づいて、光学素子を切り替えるように測定ヘッド１０を制御する。なお、制御部４７は、検者により指定された光学素子に切り替えるように測定ヘッド１０を制御するようにしてもよい。
【００８７】
（Ｓ２２）
制御部４７は、Ｓ１における測定値に基づいて、視標を切り替えるように視標呈示装置２０を制御する。
【００８８】
（Ｓ２３）
検者がタブレット端末１００に対し被検者の応答の内容を入力すると、制御部４７は、当該応答の内容の入力を受け付ける。被検者の応答の内容の入力は、たとえば、タブレット端末１００に対するジェスチャー操作やタブレット端末１００の表示部１０１ａに表示された操作画面内のアイコンに対するタッチ操作などにより可能になっている。制御部４７は、通信制御部４４において、タブレット端末１００からの被検者の応答の内容の入力操作に対応した操作情報が受信されるまで待機する。
【００８９】
（Ｓ２４）
制御部４７によって当該応答の内容の入力が受け付けられると、正誤判定部４７１は、当該応答の内容の正誤を判定する。
【００９０】
（Ｓ２５）
制御部４７は、Ｓ２２で切り替えられた同一視力値に対応する複数の視標に対する所定回数以上の応答の内容が入力されたか否かを判別する。所定回数以上の応答の内容が入力されたと判別されたとき（Ｓ２５：Ｙ）、制御部４７による処理は、Ｓ２６に移行する。所定回数以上の応答の内容が入力されたと判別されなかったとき（Ｓ２５：Ｎ）、制御部４７による処理は、Ｓ２３に移行する。
【００９１】
（Ｓ２６）
同一視力値に対応する複数の視標に対する所定回数以上の応答の内容が入力されたと判別されたとき（Ｓ２５：Ｙ）、正答率算出部４７２は、複数の視標に対する被検者の複数の応答の内容の正答率を算出する。
【００９２】
（Ｓ２７）
正答率判定部４７３は、Ｓ２６において算出された正答率が基準正答率以上であるか否かを判定する。Ｓ２６において算出された正答率が基準正答率以上であると判定されたとき（Ｓ２７：Ｙ）、制御部４７による処理は、Ｓ２８に移行する。Ｓ２６において算出された正答率が基準正答率未満であると判定されたとき（Ｓ２７：Ｎ）、制御部４７による処理は、Ｓ２９に移行する。
【００９３】
（Ｓ２８）
Ｓ２７において正答率が基準正答率以上であると判定されたとき（Ｓ２７：Ｙ）、制御部４７は、所定のアルゴリズムに従って次の視標に切り替えるか否かを判断する。次の視標に切り替えると判断されたとき（Ｓ２８：Ｙ）、制御部４７による処理は、Ｓ２２に移行する。Ｓ２２では、制御部４７は、視力値決定部４７４により決定された視力値の視標に切り替えるように視標呈示装置２０を制御する。一方、次の視標に切り替えると判断されなかったとき（Ｓ２８：Ｎ）、制御部４７による処理は、Ｓ２９に移行する。
【００９４】
（Ｓ２９）
Ｓ２８において次の視標に切り替えると判断されなかったとき（Ｓ２８：Ｎ）、制御部４７は、所定のアルゴリズムに従って次の光学素子に切り替えるか否かを判断する。次の光学素子に切り替えると判断されたとき（Ｓ２９：Ｙ）、制御部４７による処理は、Ｓ３０に移行する。一方、次の光学素子に切り替えると判断されなかったとき（Ｓ２９：Ｎ）、制御部４７による処理は終了する（エンド）。
【００９５】
（Ｓ３０）
Ｓ２９において次の光学素子に切り替えると判断されたとき（Ｓ２９：Ｙ）、制御部４７は、検者により指定された光学素子、またはあらかじめ決められた順序に従って次の光学素子に切り替えるように測定ヘッド１０を制御する。制御部４７による処理は、Ｓ２３に移行する。
【００９６】
なお、図８は、Ｓ５における検眼装置１の動作例について説明したが、Ｓ１０における動作例についても同様である。この場合、たとえば、Ｓ２１およびＳ２２において、Ｓ１における測定値に代えてＳ６における測定値が適用される。
【００９７】
また、図８では、視標または光学素子を切り替える場合について説明したが、所定のアルゴリズムに従って視標および光学素子の双方を切り替えるようにしてもよい。
【００９８】
なお、この実施形態では、遠用屈折測定としてＣＣレンズを用いた屈折測定（ＣＣレンズの向きの変更も含む）を行う場合について説明したが、乱視検査視標で屈折測定を行う場合にも適用することができる。乱視検査視標での屈折測定は、まず、右眼に対する自覚測定として、乱視検査視標による右眼の乱視軸・乱視度数の測定、そして右眼の矯正視力の測定の順に行われる。次に、左眼に対する自覚測定も、これと同じ工程により行われる。片眼ごとの自覚測定が終了すると、両眼バランステストが行われ、片眼ごとに行われた自覚測定の結果が調整され、自覚測定による眼屈折力（自覚値）が決定される。この場合、右眼の矯正視力の測定や左眼の矯正視力の測定において、この実施形態における処理を適用することができる。
【００９９】
また、この実施形態では、遠用屈折測定について説明したが、近用屈折測定にも適用することができる。近用屈折測定は、クロスグリッドを利用した両眼加入度測定、右眼の近用視力の測定、左眼の近用視力の測定、そして両眼の近用視力の測定の順に行われる。この場合、右眼の近用視力の測定や左眼の近用視力の測定や両眼の近用視力の測定において、この実施形態における処理を適用することができる。
【０１００】
図９に、第１実施形態に係る検眼装置１の動作例のシーケンス図を示す。図９は、垂直方向に時間軸をとり、測定ヘッド１０、視標呈示装置２０、メイン制御装置４０、およびタブレット端末１００の間の情報の送受信の概要を表したものである。
【０１０１】
まず、メイン制御装置４０は、事前に行われたＳ１における測定値に基づいて、被検眼に適用させる光学素子と被検眼に呈示させる視標を特定し、特定された光学素子や視標に切り替えるように、測定ヘッド１０および視標呈示装置２０を制御する（ＳＱ１）。メイン制御装置４０は、測定ヘッド１０および視標呈示装置２０に制御信号を出力する（ＳＱ２）。また、メイン制御装置４０は、タブレット端末１００に対し、被検者の応答の内容の入力の開始を指示する（ＳＱ３）。
【０１０２】
測定ヘッド１０および視標呈示装置２０は、メイン制御装置４０からの制御信号を受け、光学素子の切り替えや視標の切り替えを行う（ＳＱ４）。
【０１０３】
タブレット端末１００は、ＳＱ４において切り替えられた光学素子が適用されている被検眼に呈示された視標に対する被検者の応答の内容を入力する操作を受け付ける（ＳＱ５）。タブレット端末１００は、この応答の内容の入力操作に対応した操作情報をメイン制御装置４０に送る（ＳＱ６）。
【０１０４】
メイン制御装置４０は、タブレット端末１００からの操作情報に基づいて、ＳＱ５において入力された被検者の応答の内容の正誤を判定する（ＳＱ７）。
【０１０５】
同様に、複数回にわたって、タブレット端末１００は、ＳＱ４において切り替えられた光学素子が適用されている被検眼に呈示された視標に対する被検者の応答の内容を入力する操作を受け付ける（ＳＱ８、ＳＱ１１）。タブレット端末１００は、この応答の内容の入力操作が行われるたびに、当該入力操作に対応した操作情報をメイン制御装置４０に送る（ＳＱ９、ＳＱ１２）。
【０１０６】
メイン制御装置４０は、タブレット端末１００からの操作情報を受けるたびに、被検者の応答の内容の正誤を判定する（ＳＱ１０、ＳＱ１３）。
【０１０７】
たとえば、５つの視標が呈示された場合に３回以上の被検者の応答の内容の入力が終了すると、メイン制御装置４０は、被検者の応答の内容の正答率を算出する（ＳＱ１４）。続いて、メイン制御装置４０は、算出された正答率が基準正答率以上であるか否かを判定する（ＳＱ１５）。たとえば、算出された正答率が基準正答率以上であると判定されたとき、メイン制御装置４０は、次に適用される視力値を特定し、特定された視標に切り替えるように視標呈示装置２０を制御する（ＳＱ１６）。メイン制御装置４０は、視標呈示装置２０に制御信号を出力する（ＳＱ１７）。また、メイン制御装置４０は、タブレット端末１００に対し、被検者の応答の内容の入力の開始を指示する（ＳＱ１８）。視標呈示装置２０は、メイン制御装置４０からの制御信号を受け、視標の切り替えを行う（ＳＱ１９）。
【０１０８】
以上のような検査において、視力値ごとに、被検眼に呈示された複数の視標と、複数の視標に対する被検者の複数の応答の内容の正誤とを対応付けた正誤情報が、記憶部４８に記憶される。集計部４７５は、この正誤情報に基づいて、被検者の応答の結果を集計する。集計部４７５による集計結果を、制御部４７により出力装置６０に出力（表示または印刷）させることができる。
【０１０９】
図１０に、集計部４７５による集計結果の出力装置６０への出力例を示す。図１０は、視力値ごとに、各視標に対する被検者の応答の内容の正誤を集計結果として出力装置６０に出力された例を表す。
【０１１０】
図１０では、視力値が０．６であり、水平方向に並んで配置された５つの視標のそれぞれについて、被検者の応答の内容が正答である視標を「Ｔ」（Ｔｒｕｅ）と表し、被検者の応答の内容が誤答である視標を「Ｆ」（Ｆａｌｓｅ）と表している。なお、正答である視標を「Ｃ」（Ｃｏｒｒｅｃｔ）と表し、誤答である視標を「Ｗ」（Ｗｒｏｎｇ）と表してもよい。また、正答である視標を「○」と表し、誤答である視標を「×」と表してもよい。
【０１１１】
このように検査後に被検者の応答の内容の正誤を確認することができるので、応答の内容の履歴やその正誤の履歴によっては、被検眼に何らかの異常がある疑いがあるなどを把握しやすくなる。たとえば、矛盾があるような被検者の応答が得られた場合、特定の視力値だけ正答率が高い場合、逆に特定の視力値だけ正答率が低い場合、片方の眼だけ正答率が高い場合、視標の向きが斜め方向のときだけ正答率が低い場合、または他覚測定により得られた結果と自覚測定により得られた結果とが大きく異なる場合に、何らかの異常がある疑いがある。集計部４７５は、上記の応答の内容の履歴やその正誤の履歴のいずれかに相当する条件に合致する被検者の応答の内容やその正誤を集計するようにしてもよい。
【０１１２】
なお、この実施形態では、タブレット端末１００に対して被検者の応答の内容の入力操作を行うたびにメイン制御装置４０が応答の内容の正誤を判定するものとして説明したが、これに限定されるものではない。たとえば、タブレット端末１００は、被検者の複数の応答の内容の入力操作を一旦受け付けた後、当該複数の応答の内容の入力操作に対応した複数の操作情報をまとめてメイン制御装置４０に送り、メイン制御装置４０が、当該複数の操作情報に対応した複数の応答の内容の正誤を判定するようにしてもよい。
【０１１３】
［作用・効果］
第１実施形態に係る検眼装置の作用および効果について説明する。
【０１１４】
検眼装置１は、測定ヘッド１０（光学素子適用手段）と、視標呈示装置２０（視標呈示手段）と、タブレット端末１００またはコントローラ５０（応答入力手段）と、正誤判定部４７１（判定手段）と、制御部４７（制御手段）とを含む。測定ヘッド１０は、複数の光学素子を選択的に被検眼に適用する。視標呈示装置２０は、視標を被検眼に呈示する。タブレット端末１００またはコントローラ５０は、測定ヘッド１０により光学素子が適用されている被検眼に対し視標呈示装置２０により呈示された視標に対する被検者の応答の内容を入力するための装置である。正誤判定部４７１は、被検眼に呈示された視標に対してタブレット端末１００またはコントローラ５０により入力された応答の内容の正誤を判定する。制御部４７は、正誤判定部４７１による複数の判定結果に基づく応答の内容の正答率に基づいて測定ヘッド１０および視標呈示装置２０の少なくとも一方を制御する。
【０１１５】
このような検眼装置１によれば、検者は、タブレット端末１００またはコントローラ５０に対して被検者の応答の内容の入力操作を行うことにより、検者は、被検者の一連の応答の内容を記憶しておく必要がなくなる。これにより、被検者の応答に時間がかかった場合でも、検者が、以前の被検者の応答の内容を忘れてしまうことはなく、検査結果の信頼性の低下の防止に寄与することができる。また、検者が被検者の応答入力に関与しながら検査を進めることができるので、検者の経験などにより検査内容を厳選しつつ、所望の検査を短時間で柔軟に行うことが可能になる。従って、検者の負担を軽減しつつ、検者が検査に関与することにより柔軟な自覚検査が可能な検眼装置を提供することができるようになる。
【０１１６】
また、視標は、被検眼の視力値を測定するための視力測定用視標を含む。制御部４７は、視力測定用視標に対する応答の内容の正答率に基づいて次に適用される視力値を決定する視力値決定部４７４（視力値決定手段）手段を含んでもよい。このような検眼装置１によれば、被検者の一連の応答の内容から検査を切り替えるべきか否かの判断や、検査を終了すべきか否かの判断や、検査結果をどのように決定すべきかの判断に時間がかかることがなくなり、検査時間の短縮に寄与することができる。
【０１１７】
また、制御部４７は、視力値決定部４７４により決定された視力値に対応する視力測定用視標を呈示するように視標呈示装置２０を制御してもよい。あるいは、制御部４７は、視力値決定部４７４により決定された視力値に対応する光学素子を適用するように測定ヘッド１０を制御してもよい。このような検眼装置１によれば、検者の負担を軽減しつつ、検者の経験などにより柔軟な検査を行うことができる。
【０１１８】
また、検眼装置１は、表示部１０１ａまたは表示部５２（表示手段）を含んでもよい。表示部１０１ａまたは表示部５２は、被検眼に呈示されている視標を検者に向けて表示する。このような検眼装置１によれば、検者は、表示部１０１ａまたは表示部５２に表示された視標を見て被検者の応答の内容を確認しながら検査を進めることができ、より効率的な検査が可能になる。
【０１１９】
また、検眼装置１は、記憶部４８（記憶手段）を含んでもよい。記憶部４８は、複数の応答の内容の正誤を示す正誤情報を記憶する。制御部４７は、記憶部４８に記憶された正誤情報を出力装置６０（出力手段）に出力させる。このような検眼装置１によれば、過去の被検者の応答の内容とその正誤を確認して、被検眼に何らかの異常がある可能性を検討することができるようになる。
【０１２０】
また、正誤情報は、被検者の応答の内容及びその正誤を含み、検眼装置１において、制御部４７は、視力値ごとに応答の内容およびその正誤を出力装置６０に出力させてもよい。このような検眼装置１によれば、視力値ごとに応答の内容およびその正誤を確認して、被検眼に何らかの異常がある可能性を検討することができるようになる。
【０１２１】
また、検眼装置１において、正誤情報は、被検眼に呈示された複数の視標と、当該複数の視標に対する複数の応答の内容およびその正誤とを対応付けた情報であり、制御部４７は、集計部４７５を含んでもよい。集計部４７５は、正誤情報に基づいて、応答の内容が正答である視標、応答の内容が誤答である視標、または視標の種別ごとの応答の内容の正誤を集計する。制御部４７は、集計部４７５による集計結果を出力装置６０に出力させる。このような検眼装置１によれば、応答の内容が正答である視標、応答の内容が誤答である視標、または視標の種別ごとの応答の内容の正誤を確認して、被検眼に何らかの異常がある可能性を検討することができるようになる。
【０１２２】
〔第２実施形態〕
第１実施形態では、タブレット端末１００に対し、検者が被検者の応答の内容の入力操作を行う場合について説明したが、これに限定されるものではない。第２実施形態では、タブレット端末１００に対し、検者が被検者の応答の正誤の入力操作を行う。
【０１２３】
第２実施形態に係る検眼装置の構成は、第１実施形態と同様である。以下では、第２実施形態に係る検眼装置について、第１実施形態との相違点を中心に説明する。
【０１２４】
図１１に、第２実施形態に係る制御部の構成例の機能ブロック図を示す。図１１において、図６と同様の部分には同一符号を付し、適宜説明を省略する。
【０１２５】
第２実施形態に係る制御部４７ａは、制御部４７に代えて、図５に示すメイン制御装置４０に適用することができる。制御部４７ａは、正誤判定部４７１と、正答率算出部４７２と、正答率判定部４７３と、視力値決定部４７４と、集計部４７５とを含んで構成されている。制御部４７ａが制御部４７と異なる点は、正誤判定部４７１が省略された点である。正答率算出部４７２は、タブレット端末１００に対する被検者の複数の応答の内容の正誤を通信制御部４４を介してタブレット端末１００から受ける。正答率算出部４７２は、タブレット端末１００からの被検者の複数の応答の内容の正誤に基づいて正答率を算出する。
【０１２６】
タブレット端末１００と表示部１０１ａは、この実施形態に係る「正誤入力手段」と「表示手段」の一例である。コントローラ５０と表示部５２は、この実施形態に係る「正誤入力手段」と「表示手段」の一例である。制御部４７ａは、この実施形態に係る「制御手段」の一例である。
【０１２７】
図１２に、第２実施形態に係るメイン制御装置の動作例のフロー図を示す。なお、図１２は、図８と同様に、図７のＳ５における検眼装置の動作例を表す。
【０１２８】
（Ｓ３１）
制御部４７ａは、事前に行われたＳ１における測定値に基づいて、光学素子を切り替えるように測定ヘッド１０を制御する。なお、制御部４７は、検者により指定された光学素子に切り替えるように測定ヘッド１０を制御するようにしてもよい。
【０１２９】
（Ｓ３２）
制御部４７ａは、Ｓ１における測定値に基づいて、視標を切り替えるように視標呈示装置２０を制御する。
【０１３０】
（Ｓ３３）
検者は、タブレット端末１００の表示部１０１ａに表示された視標を確認しながら、当該視標に対する被検者の応答の内容の正誤を判別し、タブレット端末１００に対し、判別された応答の内容の正誤の入力操作を行う。検者がタブレット端末１００に対し被検者の応答の内容の正誤を入力すると、制御部４７ａは、当該応答の内容の正誤の入力を受け付ける。被検者の応答の内容の正誤の入力は、たとえば、タブレット端末１００に対するジェスチャー操作やタブレット端末１００の表示部１０１ａに表示された操作画面内のアイコンに対するタッチ操作などにより可能になっている。制御部４７ａは、通信制御部４４において、タブレット端末１００からの被検者の複数の応答の内容の正誤の入力操作に対応した操作情報が受信されるまで待機する。
【０１３１】
（Ｓ３４）
同一視力値に対応する複数の視標に対する所定回数以上の被検者の応答の内容の正誤が入力されたか否かを判別する。所定回数以上の応答の内容が入力されたと判別されたとき（Ｓ３４：Ｙ）、制御部４７ａによる処理は、Ｓ３５に移行する。所定回数以上の応答の内容が入力されたと判別されなかったとき（Ｓ３４：Ｎ）、制御部４７による処理は、Ｓ３３に移行する。
【０１３２】
（Ｓ３５）
同一視力値に対応する複数の視標に対する被検者のすべての応答の内容の入力がされたと判別されたとき（Ｓ３４：Ｙ）、正答率算出部４７２は、複数の視標に対する被検者の複数の応答の内容の正答率を算出する。
【０１３３】
（Ｓ３６）
正答率判定部４７３は、Ｓ３５において算出された正答率が基準正答率以上であるか否かを判定する。Ｓ３５において算出された正答率が基準正答率以上であると判定されたとき（Ｓ３６：Ｙ）、制御部４７ａによる処理は、Ｓ３７に移行する。Ｓ３５において算出された正答率が基準正答率未満であると判定されたとき（Ｓ３６：Ｎ）、制御部４７ａによる処理は、Ｓ３８に移行する。
【０１３４】
（Ｓ３７）
Ｓ３６において正答率が基準正答率以上であると判定されたとき（Ｓ３６：Ｙ）、制御部４７ａは、所定のアルゴリズムに従って次の視標に切り替えるか否かを判断する。次の視標に切り替えると判断されたとき（Ｓ３７：Ｙ）、制御部４７ａによる処理は、Ｓ３２に移行する。Ｓ３２では、制御部４７ａは、視力値決定部４７４により決定された視力値の視標に切り替えるように視標呈示装置２０を制御する。一方、次の視標に切り替えると判断されなかったとき（Ｓ３７：Ｎ）、制御部４７ａによる処理は、Ｓ３８に移行する。
【０１３５】
（Ｓ３８）
Ｓ３７において次の視標に切り替えると判断されなかったとき（Ｓ３７：Ｎ）、制御部４７ａは、所定のアルゴリズムに従って次の光学素子に切り替えるか否かを判断する。次の光学素子に切り替えると判断されたとき（Ｓ３８：Ｙ）、制御部４７ａによる処理は、Ｓ３９に移行する。一方、次の光学素子に切り替えると判断されなかったとき（Ｓ３８：Ｎ）、制御部４７ａによる処理は終了する（エンド）。
【０１３６】
（Ｓ３９）
Ｓ３８において次の光学素子に切り替えると判断されたとき（Ｓ３８：Ｙ）、制御部４７ａは、検者により指定された光学素子、またはあらかじめ決められた順序に従って次の光学素子に切り替えるように測定ヘッド１０を制御する。制御部４７ａによる処理は、Ｓ３３に移行する。
【０１３７】
図１３に、第２実施形態に係る検眼装置の動作例のシーケンス図を示す。図１３において、図９と同様の部分には同一符号を付し、適宜説明を省略する。
【０１３８】
メイン制御装置４０は、タブレット端末１００に対し、被検者の応答の内容の正誤の入力の開始を指示する（ＳＱ３）。タブレット端末１００は、ＳＱ４において切り替えられた光学素子が適用されている被検眼に呈示された視標に対する被検者の応答の内容の正誤を入力する操作を受け付ける（ＳＱ２１）。タブレット端末１００は、この応答の内容の正誤の入力操作に対応した操作情報をメイン制御装置４０に送る（ＳＱ２２）。
【０１３９】
メイン制御装置４０は、タブレット端末１００からの操作情報に基づいて、ＳＱ２２において入力された被検者の応答の内容の正誤を特定する（ＳＱ２４）。
【０１４０】
同様に、複数回にわたって、タブレット端末１００は、ＳＱ４において切り替えられた光学素子が適用されている被検眼に呈示された視標に対する被検者の応答の内容の正誤を入力する操作を受け付ける（ＳＱ２３、ＳＱ２５）。タブレット端末１００は、この応答の内容の入力操作が行われるたびに、当該入力操作に対応した操作情報をメイン制御装置４０に送る（ＳＱ２４、ＳＱ２６）。
【０１４１】
メイン制御装置４０は、タブレット端末１００からの操作情報を受けるたびに、被検者の応答の内容の正誤を特定する（ＳＱ２４、ＳＱ２６）。
【０１４２】
たとえば、５つの視標が呈示された場合に３回以上の被検者の応答の内容の入力が終了すると、メイン制御装置４０は、被検者の応答の内容の正答率を算出する（ＳＱ１４）。
【０１４３】
その他の構成や制御については、第１実施形態と同様である。
【０１４４】
［作用・効果］
第２実施形態に係る検眼装置の作用および効果について説明する。
【０１４５】
検眼装置は、測定ヘッド１０（光学素子適用手段）と、視標呈示装置２０（視標呈示手段）と、タブレット端末１００またはコントローラ５０（正誤入力手段）と、制御部４７（制御手段）とを含む。測定ヘッド１０は、複数の光学素子を選択的に被検眼に適用する。視標呈示装置２０は、視標を被検眼に呈示する。タブレット端末１００またはコントローラ５０は、測定ヘッド１０により複数の光学素子が選択的に適用されている被検眼に対し視標呈示装置２０により呈示された視標に対する被検者の応答の内容の正誤を入力するための装置である。制御部４７は、被検眼に呈示された複数の視標に対する複数の前記応答の内容の正答率に基づいて、測定ヘッド１０および視標呈示装置２０の少なくとも一方を制御する。
【０１４６】
このような検眼装置によれば、検者は、タブレット端末１００またはコントローラ５０に対して被検者の応答の内容の正誤の入力操作を行うことにより、検者は、被検者の一連の応答の内容を記憶しておく必要がなくなる。これにより、被検者の応答に時間がかかった場合でも、検者が、以前の被検者の応答の内容を忘れてしまうことはなく、検査結果の信頼性の低下の防止に寄与することができる。また、検者が被検者の応答入力に関与しながら検査を進めることができるので、検者の経験などにより検査内容を厳選しつつ、所望の検査を短時間で柔軟に行うことが可能になる。従って、検者の負担を軽減しつつ、検者が検査に関与することにより柔軟な自覚検査が可能な検眼装置を提供することができるようになる。
【０１４７】
〔第３実施形態〕
第１実施形態または第２実施形態では、タブレット端末１００に対し、検者が被検者の応答または応答の内容の正誤の入力操作を行う場合について説明したが、これに限定されるものではない。第３実施形態では、タブレット端末１００に対し、被検者自身が視標に対する応答の内容の入力操作を行う。
【０１４８】
第３実施形態に係る検眼装置の構成は、第１実施形態と同様である。しかしながら、検者が、タブレット端末１００およびコントローラ５０の一方を用い、被検者が、タブレット端末１００およびコントローラ５０の他方を用いる。ここでは、検者がコントローラ５０を用い、被検者がタブレット端末１００を用いるものとする。また、被検者が用いるタブレット端末１００の表示部１０１ａには、視標呈示装置２０により被検眼に呈示されている視標が表示されない。検者が用いるコントローラ５０の表示部５２には、視標呈示装置２０により被検眼に呈示されている視標が表示されてもよい。なお、検者と被検者が用いるデバイスを任意に切り替え可能にしてもよい。この場合、被検者が用いるデバイスは、被検眼に呈示されている視標が表示されないように制御される。
【０１４９】
メイン制御装置４０は、タブレット端末１００からの被検者の応答を受け、被検者の応答の内容の判定結果または正答率をコントローラ５０に送る。コントローラ５０の表示部５２には、正誤判定部４７１による判定結果、または正答率算出部４７２により算出された算出結果が表示される。コントローラ５０の操作部５１は、測定ヘッド１０および視標呈示装置２０の少なくとも一方を制御するための指示を入力するために用いられる。検者が、コントローラ５０の表示部５２に表示された被検者の応答の内容の正誤または正答率を確認しながらコントローラ５０に対する操作を行うと、その操作に対応した操作情報がメイン制御装置４０に送られる。メイン制御装置４０の制御部４７は、操作部５１により入力された指示に基づいて、測定ヘッド１０および視標呈示装置２０の少なくとも一方を制御する。以下では、第３実施形態に係る検眼装置について、第１実施形態との相違点を中心に説明する。
【０１５０】
タブレット端末１００は、この実施形態に係る「応答入力手段」の一例である。コントローラ５０と表示部５２は、この実施形態に係る「ユーザインターフェイス」の「判定結果表示部」の一例である。コントローラ５０の操作部５１は、この実施形態に係る「ユーザインターフェイス」の「指示入力部」の一例である。
【０１５１】
図１４に、第３実施形態に係るメイン制御装置の動作例のフロー図を示す。図１４は、図８と同様に、図７のＳ５における検眼装置の動作例を表す。なお、図１４では、コントローラ５０に対する検者の入力操作に対応した操作情報を受けたメイン制御装置４０が、測定ヘッド１０および視標呈示装置２０を制御するものとする。以下では、説明の便宜上、第１実施形態における各部の符号をそのまま用いて説明する。
【０１５２】
（Ｓ４１）
制御部４７は、コントローラ５０からの光学素子または視標の切り替えの指示の受信を待機する（Ｓ４１：Ｎ）。コントローラ５０から光学素子または視標の切り替えの指示が受信されたとき（Ｓ４１：Ｙ）、制御部４７による処理は、Ｓ４２に移行する。
【０１５３】
（Ｓ４２）
コントローラ５０から光学素子または視標の切り替えの指示が受信されたとき（Ｓ４１：Ｙ）、制御部４７は、Ｓ４１において受信されたコントローラ５０からの切り替え指示に基づいて光学素子を切り替えるように測定ヘッド１０を制御する。
【０１５４】
（Ｓ４３）
制御部４７は、Ｓ４１において受信されたコントローラ５０からの切り替え指示に基づいて視標を切り替えるように視標呈示装置２０を制御する。
【０１５５】
（Ｓ４４）
Ｓ４３にて切り替えられた視標が呈示されＳ４２にて切り替えられた光学素子が被検眼に適用されている被検者が、タブレット端末１００に対して自身の応答の内容を入力すると、制御部４７は、当該応答の内容の入力を受け付ける。被検者の応答の内容の入力は、たとえば、タブレット端末１００に対するジェスチャー操作やタブレット端末１００の表示部１０１ａに表示された操作画面内のアイコンに対するタッチ操作などにより可能になっている。制御部４７は、通信制御部４４において、タブレット端末１００からの被検者の応答の内容の入力操作に対応した操作情報が受信されるまで待機する。
【０１５６】
（Ｓ４５）
制御部４７によって当該応答の内容の入力が受け付けられると、正誤判定部４７１は、当該応答の内容の正誤を判定する。
【０１５７】
（Ｓ４６）
制御部４７は、Ｓ４３で切り替えられた同一視力値に対応する複数の視標に対する所定回数以上の応答の内容が入力されたか否かを判別する。所定回数以上の応答の内容が入力されたと判別されたとき（Ｓ４６：Ｙ）、制御部４７による処理は、Ｓ４７に移行する。所定回数以上の応答の内容が入力されたと判別されなかったとき（Ｓ４６：Ｎ）、制御部４７による処理は、Ｓ４４に移行する。
【０１５８】
（Ｓ４７）
所定回数以上の応答の内容が入力されたと判別されたとき（Ｓ４６：Ｙ）、正答率算出部４７２は、複数の視標に対する被検者の複数の応答の内容の正答率を算出する。
【０１５９】
（Ｓ４８）
正答率判定部４７３は、Ｓ４７において算出された正答率が基準正答率以上であるか否かを判定する。
【０１６０】
（Ｓ４９）
制御部４７は、Ｓ４８における判定結果を通信制御部４４によりコントローラ５０に送信させる。その後、制御部４７による処理は、Ｓ４１に移行する（リターン）。
【０１６１】
このような判定結果を受けたコントローラ５０は、たとえば表示部５２に判定結果または判定結果に対応した情報を表示させることにより、コントローラ５０を操作する検者に判定結果を通知する。検者は、表示部５２に表示された判定結果を確認しながら、コントローラ５０に対し次に適用される視力値の視標を切り替える操作を行ったり、視力値はそのままで光学素子を切り替える操作を行ったりする。コントローラ５０に対する入力操作に対応した操作情報を受けたメイン制御装置４０は、測定ヘッド１０または視標呈示装置２０を制御する。
【０１６２】
なお、コントローラ５０の表示部５２には、視力値決定部４７４により決定された次に適用される視力値を表示させるようにしてもよい。また、次に適用される視力値が決定されたときの表示部５２の表示態様と、当該視力値が被検眼に適用された後の表示部５２の表示態様とを変更してもよい。
【０１６３】
図１５に、第３実施形態に係る検眼装置の動作例のシーケンス図を示す。図１５は、垂直方向に時間軸をとり、測定ヘッド１０、視標呈示装置２０、メイン制御装置４０、コントローラ５０およびタブレット端末１００の間の情報の送受信の概要を表したものである。
【０１６４】
たとえば、コントローラ５０に対する検者の入力操作に対応した操作情報が、メイン制御装置４０に送られる（ＳＱ３１）。メイン制御装置４０は、この操作情報に基づいて、被検眼に適用させる光学素子と被検眼に呈示させる視標を特定し、特定された光学素子や視標に切り替えるように、測定ヘッド１０および視標呈示装置２０を制御する（ＳＱ３２）。メイン制御装置４０は、測定ヘッド１０および視標呈示装置２０に制御信号を出力する（ＳＱ３３）。また、メイン制御装置４０は、コントローラ５０に対し、検者の操作の入力の開始を指示する（ＳＱ３４）とともに、タブレット端末１００に対し、被検者の応答の内容の入力の開始を指示する（ＳＱ３５）。
【０１６５】
測定ヘッド１０および視標呈示装置２０は、メイン制御装置４０からの制御信号を受け、光学素子の切り替えや視標の切り替えを行う（ＳＱ３６）。
【０１６６】
タブレット端末１００は、ＳＱ３６において切り替えられた光学素子が適用されている被検眼に呈示された視標に対する被検者の応答の内容の入力操作を受け付ける（ＳＱ３７）。タブレット端末１００は、被検者の応答の内容の入力操作に対応した操作情報をメイン制御装置４０に送る（ＳＱ３８）。
【０１６７】
メイン制御装置４０は、タブレット端末１００からの操作情報に基づいて、ＳＱ３７において入力された被検者の応答の内容の正誤を判定する（ＳＱ３９）。
【０１６８】
同様に、複数回にわたって、タブレット端末１００は、ＳＱ３６において切り替えられた光学素子が適用されている被検眼に呈示された視標に対する被検者の応答の内容の入力操作を受け付ける（ＳＱ４０、ＳＱ４３）。タブレット端末１００は、被検者の応答の内容の入力操作が行われるたびに、当該入力操作に対応した操作情報をメイン制御装置４０に送る（ＳＱ４１、ＳＱ４４）。
【０１６９】
メイン制御装置４０は、タブレット端末１００からの操作情報を受けるたびに、被検者の応答の内容の正誤を判定する（ＳＱ４２、ＳＱ４５）。
【０１７０】
たとえば、５つの視標が呈示された場合に３回以上の被検者の応答の内容の入力が終了すると、メイン制御装置４０は、被検者の応答の内容の正答率を算出する（ＳＱ４６）。続いて、メイン制御装置４０は、算出された正答率が基準正答率以上であるか否かを判定する（ＳＱ４７）。メイン制御装置４０は、ＳＱ４７における判定結果をコントローラ５０に送る（ＳＱ４８）。
【０１７１】
コントローラ５０は、ＳＱ４７における判定結果を表示部５２に表示させるなどして、検者による測定ヘッド１０や視標呈示装置２０を制御するための操作を受け付ける（ＳＱ４９）。ＳＱ４９において受け付けられた操作に対応した操作情報をメイン制御装置４０に送る（ＳＱ５０）。
【０１７２】
メイン制御装置４０は、この操作情報に基づいて、被検眼に適用させる光学素子と被検眼に呈示させる視標を特定し、特定された光学素子や視標に切り替えるように、測定ヘッド１０および視標呈示装置２０を制御する（ＳＱ５１）。メイン制御装置４０は、測定ヘッド１０および視標呈示装置２０に制御信号を出力する（ＳＱ５２）。また、メイン制御装置４０は、コントローラ５０に対し、検者の操作の入力の開始を指示する（ＳＱ５３）とともに、タブレット端末１００に対し、被検者の応答の内容の入力の開始を指示する（ＳＱ５４）。測定ヘッド１０および視標呈示装置２０は、メイン制御装置４０からの制御信号を受け、光学素子の切り替えや視標の切り替えを行う（ＳＱ５５）。
【０１７３】
その他の構成や制御については、第１実施形態と同様である。
【０１７４】
なお、メイン制御装置４０は、タブレット端末１００から受けた被検者の応答の内容を、そのままコントローラ５０に送るようにしてもよい。この場合、コントローラ５０は、たとえば、正誤判定部４７１、正答率算出部４７２、正答率判定部４７３、視力値決定部４７４、集計部４７５を含んで構成される。
【０１７５】
また、メイン制御装置４０は、タブレット端末１００から受けた被検者の応答を受け、被検者の応答の内容の正誤をコントローラ５０に送るようにしてもよい。この場合、コントローラ５０は、たとえば、正答率算出部４７２、正答率判定部４７３、視力値決定部４７４、集計部４７５を含んで構成される。
【０１７６】
［作用・効果］
第３実施形態に係る検眼装置の作用および効果について説明する。
【０１７７】
検眼装置１は、測定ヘッド１０（光学素子適用手段）と、視標呈示装置２０（視標呈示手段）と、タブレット端末１００（応答入力手段）と、正誤判定部４７１（判定手段）と、ユーザインターフェイス（コントローラ５０）と、制御部４７（制御手段）とを含む。コントローラ５０は、表示部５２（判定結果表示部）と、操作部５１（指示入力部）とを含む。測定ヘッド１０は、複数の光学素子を選択的に被検眼に適用する。視標呈示装置２０は、視標を被検眼に呈示する。タブレット端末１００は、測定ヘッド１０により複数の光学素子が選択的に適用されている被検眼に対し視標呈示装置２０により呈示された視標に対する被検者の応答の内容を入力するための装置である。正誤判定部４７１は、被検眼に呈示された視標に対してタブレット端末１００により入力された応答の内容の正誤を判定する。表示部５２は、正誤判定部４７１による判定結果を表示する。操作部５１は、測定ヘッド１０および視標呈示装置２０の少なくとも一方を制御するための指示を入力するために用いられる。制御部４７は、表示部５２に判定結果が表示されたことを受けて操作部５１により入力された指示に基づいて、測定ヘッド１０および視標呈示装置２０の少なくとも一方を制御する。
【０１７８】
このような検眼装置によれば、被検者が、タブレット端末１００に対して自身の応答の内容の入力操作を行い、その応答の正誤の判定結果が、検者が操作するコントローラ５０に臆されるため、検者は、被検者の一連の応答の内容を記憶しておく必要がなくなる。これにより、被検者の応答に時間がかかった場合でも、検者が、以前の被検者の応答の内容を忘れてしまうことはなく、検査結果の信頼性の低下の防止に寄与することができる。また、検者が被検者の応答入力に関与しながら検査を進めることができるので、検者の経験などにより検査内容を厳選しつつ、所望の検査を短時間で柔軟に行うことが可能になる。従って、検者の負担を軽減しつつ、検者が検査に関与することにより柔軟な自覚検査が可能な検眼装置を提供することができるようになる。
【０１７９】
なお、上記の実施形態では、タッチ操作を受け付ける装置としてタブレット端末を例に説明したが、これに限定されるものではない。タッチ操作を受け付ける装置として、スマートフォンなどの無線での通信が可能な通信端末を用いることができる。また、タッチ操作を受け付ける装置は、検者または被検者が所有する端末であってもよい。
【０１８０】
また、上記の実施形態において、タッチ操作による操作入力が可能なものとしてタブレット端末を例に説明したが、コントローラ５０やタブレット端末との間で通信の接続が可能なキーボードであってもよい。
【０１８１】
また、上記の実施形態において、ジェスチャー操作として、主に、ピンチイン操作、ピンチアウト操作、フリック操作、スワイプ操作、または記号入力操作を例に説明したが、ジェスチャー操作の内容に限定されるものではない。たとえば、操作内容に対応したアイコンをあらかじめ表示パネルに表示させておき、所定の領域に所望のアイコンをジェスチャー操作としてのドラッグ＆ドロップ操作により移動させることにより、視標や光学素子を切り替えるようにすることも可能である。
【０１８２】
また、上記の実施形態では、操作面に触れることにより行われるタッチ操作を検出することでジェスチャー操作の内容を特定する場合について説明したが、これに限定されるものではない。たとえば、カメラなどで撮影することによりジェスチャー操作の内容を特定する場合にも適用することができる。
【０１８３】
以上に説明した構成は、この発明を好適に実施するための一例に過ぎない。よって、この発明の要旨の範囲内における任意の変形（省略、置換、付加など）を適宜に施すことが可能である。
【０１８４】
また、第１実施形態〜第３実施形態において説明した構成を任意に組み合わせることが可能である。たとえば、第１実施形態〜第３実施形態のうち２以上の実施形態の適用が可能なシステムにおいて、当該２以上の実施形態のうち所望の実施形態を動作モードの切り替えにより択一的に適用にすることが可能である。
【符号の説明】
【０１８５】
１  検眼装置
３  検眼用テーブル
４、７  支持部
５  支柱
６  横アーム
８  操作アーム
９  格納部
１０  測定ヘッド
１０Ｌ  左眼用検眼ユニット
１０Ｒ  右眼用検眼ユニット
１１Ｌ、１１Ｒ  検眼窓
１２、２１、４１、４２、４３、４４、５３、１０２  通信制御部
１３、２２、４７、４７ａ、５４、１０３  制御部
２０  視標呈示装置
２３、５５、１０４  表示制御部
２４、５２、１０１ａ  表示部
４０  メイン制御装置
４５  電源部
４６  視標画像生成部
４８  記憶部
５０  コントローラ
５１、１０１ｂ  操作部
６０  出力装置
１００  タブレット端末
１０１  表示パネル
４７１  正誤判定部
４７２  正答率算出部
４７３  正答率判定部
４７４  視力値決定部
４７５  集計部
【図１】
2015223196.tif 000003
【図２】
2015223196.tif 000004
【図３】
2015223196.tif 000005
【図４】
2015223196.tif 000006
【図５】
2015223196.tif 000007
【図６】
2015223196.tif 000008
【図７】
2015223196.tif 000009
【図８】
2015223196.tif 000010
【図９】
2015223196.tif 000011
【図１０】
2015223196.tif 000012
【図１１】
2015223196.tif 000013
【図１２】
2015223196.tif 000014
【図１３】
2015223196.tif 000015
【図１４】
2015223196.tif 000016
【図１５】
2015223196.tif 000017